(57)【要約】 【課題】  ＤＶＤやブルーレイディスクなどのレコーダー記録による記録媒体の管理・保管をするとき、どんな内容のものがサムネイル画像されているかわからないため、再び再生したりすることによって確認しなければならない。そのため、面倒な手間と時間がかかる。【解決手段】  レコーダーには『サムネイル画像表示』『内容確認表示』により、どんな内容のものがサムネイル画像・保存されているかが確認できる。それを記録媒体にすぐに直接印刷する。『サムネイルサムネイル画像表示』は、「サムネイル画像」「タイトル名」「録画月日・時刻」「チャンネル」「NO（ナンバー）」などが、『内容確認表示』には「サムネイル画像時間」「地上波アナログ・デジタル等の放送法の表示」「記録媒体の残量内容量」など多くの事項が表示されているが、それを印刷する際には、印刷する内容を選択し管理・保管方法が自由に考えやすくなる。 【選択図】  図５
2009224010.tif 000002
【特許請求の範囲】
【請求項１】
録画・保存し終わったときにレコーダー内でサムネイル表示や内容確認表示を利用  して 記録媒体に印刷ができる「印字プリンター搭載機能付きレコーダー」
【発明の詳細な説明】
【技術分野】
【０００１】
本発明は記録装置内で記録媒体に直接印刷して録画してある内容を表示し、管理・保管しやすくするための印刷手段・方法に関する。
【背景技術】
【０００２】
従来のＤＶＤレコーダーには『サムネイル画像表示』や『内容確認表示』を配備され、画像による表示だけであった。（例えば、特許文献１参照。）また、パーソナルコンピューターのソフトをインストールして「記録媒体に直接印刷」する装置があるが、直接記録装置から印刷ができない。（例えば、特許文献１参照。） しかし、今回のレコーダーには『サムネイル画像表示』『内容確認表示』が簡単に印刷することができることによって、時間のロス・コスト削減ができる。今まで特許が認められているものはどこにどうやって印刷するかについて具体性がなかった。または、プリンターがレコーダーに内蔵するというものではなかった。（例えば、特許文献３〜８参照。）  
富士フイルム株式会社「Label flash  TM」（レーベルフラッシュ）はLabelflashTMに対応した専用のドライブが必要となるがこの場合、専用ＤＶＤを必要としない。（例えば、非特許文献１参照。）
【特許文献１】特許公開２００７−２９２９７１
【特許文献２】特許公開２００７−３２９７３２
【特許文献３】特許公開２００７−２０３５９０
【特許文献４】特許公報２００８−１８５８３
【特許文献５】特許公開２００８−３０３４６
【特許文献６】特許公開２００８−３０３４７
【特許文献７】特許公開２００７−５４９７３
【特許文献８】特許公開２００７−５８９３４
【非特許文献１】富士フイルム株式会社ホームページ「Label flash  TM」              http://fujifilm.jp/personal/recordingmedia/promotion/dvdworld/collection_03.html
【非特許文献２】キングジムホームページ「テプラ」           http://www.kingjim.co.jp/products/electronic/index.html
【発明の開示】
【発明が解決しようとする課題】
【０００３】
ＤＶＤやブルーレイディスクなど（以下「記録媒体」という）のレコーダーによる記録媒体の管理・保管をするとき、どんな内容のものが録画されているかすぐにわからないため、再生することによって確認しなければならない。そのため、面倒な手間と時間がかかる。
【課題を解決するための手段】
【０００４】
レコーダーには『サムネイル画像表示』『内容確認表示』により、どんな内容のものが録画・保存されているかが確認できる。それを記録媒体にすぐに直接印刷する。（記録媒体に録画されるとき同時又は直後）『サムネイル画像表示』は、「サムネイル画像」「NO（ナンバー）」「CH（チャンネル）」「タイトル名」「録画開始時間」、『内容確認表示』は他に「録画時間」「録画開始時間と終了時間」「録画した内容の容量」などが表示されているが、それを印刷する際には、印刷する内容を選択し印刷指令する。選択することにより個人の管理・保管方法が自由に考えやすくなる。
【０００５】
印刷する方法としては
１．インク・・・パソコンに利用されているインクジェット・トナー・ジェルジェット   や熱転写（昇華）・「テプラ」のようなリボン印刷などを利用する。（例えば、非特許文   献２参照。）インクやリボンがきれたらインクカートリッジを交換する。
【０００６】
２．印刷できる記録媒体・・・前もって印刷しやすいようにレーベルを白色が望ましい。      
【発明の効果】
【０００７】
そのままにしてあった記録媒体をレコーダー・プレーヤー・パーソナルコンピューターで何を録画してあったかを確認してそれを手書きで書くと記録媒体そのものがあまり美しくないようになる。また、それを確認してからパソコンで記録媒体に印刷する作業をするとかなりの時間がかかる。（１時間で８〜１２枚程度しかできない）しかし、これによってほとんど時間がかからないですむため面倒な手間がはぶけ時間短縮になる。
【発明を実施するための最良の形態】
【０００８】
レコーダー・プレーヤー、パーソナルコンピューター内に内蔵
【実施例】
【０００９】
記録媒体をいったん録画や保存したときにどんな内容のものが保存されているかわからないときが多々あり、整理や管理するときに困る。また、見たいとき探すのが困難なため探すだけでも時間がかかる。かといって手書きで記録媒体の表面に手書きで書くと見た目にきれいとは言い難い。早く、きれいに、わかりやすく表記されるにこしたことはない。そのための解決方法としては現在４つの方法が考えられる。  ※以下（  ）内はその短所
１．「テプラ」を使用し記録媒体に貼り付ける。（「テプラ」を購入しなければならない）２．「Label flash」を使用する。（専用のドライブ・記録媒体を準備をしなければならない。「Label flash」が内蔵されたレコーダーは現在ない）                              ３３．パソコンでシールに印字し、シールを貼り付ける。（シールの準備が必要である）  ４．パソコンを利用して記録媒体へダイレクト印刷する。（この方法は１時間で８〜１２枚程度しかできなかった。仮に１００枚を印字するためには１０時間前後かかってしまった）
しかし、記録媒体への記録保存時に印刷ができたとすると、１枚に付き１０〜３０秒程度の時間しか余分にかからないと考える。そうすれば余分な印刷機・印刷方法（「テプラ」「Label flash」「シールの利用」）で無駄なコストがかからないし、「パソコンを利用して記録媒体へのダイレクト印刷」を含め無駄な時間がかからなくてすむ。さらに、内蔵されることによって場所をとらない。
【００１０】
インクジェット・トナー・ジェルジェット や熱転写（昇華）・リボン印刷でカ        セット式インクを利用。図２の８のようにの左または上部、レコーダーの側面からイン        クを取り入れ出しが考えられる。  
【００１１】
図５のように時計回りに最高１２の『サムネイル画像表示』または『内容確認表示』が印刷することができる。また、ボタンによりＡ〜Ｌのどの部分に印刷をしたいか決めることができる。「１２」までとしたのは、(１)配置による録画内容のわかりやすさ(２)３０分番組でコーマシャル部分を取り除いたりして録画すると、（パナソニック「DIGA(ディーガ) DMR-XP10」を使用し、高速ダビングすると、LPモードで４時間分の録画可能になる）１２の番組数までには必ず収まる。また、それ以上印刷すると文字などが小さくなりすぎてわからない。『サムネイル画像表示』には「サムネイル画像」がはいるが『内容確認表示』には「サムネイル画像」は入らないために、多くの文字表示をしても印刷できると考える。
【００１２】
図６のように(１) 録画時に「印刷する」「印刷しない」を決める。 
【００１３】
次に(２)「印刷する」場合、『サムネイル画像表示』『内容確認表示』のいずれか印刷するかについて決める。（常時、どちらかに設定できる）
そして、(３)『サムネイル画像表示』を印刷する場合、サムネイル画像表示された全てを印刷するか、選択して印刷内容を決める。（図３の符号の説明の内容から選択）
また、(４)『内容確認表示』を印刷する場合、内容確認表示された全てを印刷するか、選択して印刷内容を決める。（図４の符号の説明の内容から選択）
最後に(５)録画後、すぐに上記の内容についてレーベルに印刷することができる。
【産業上の利用可能性】
【００１４】
この方法を現在販売している、ＤＶＤレコーダー、ブルーレイディスクレコダー、パーソナルコンピューターに内蔵すれば、コスト・時間の無駄を省き、コスト・時間を他の方面へ利用することができる。家庭での休息時間を記録媒体への印刷に時間をかけると（１日１００枚を印刷したなら）全くの休養もならないし、経済価値からすれば「０」に等しい。
【図面の簡単な説明】
【００１５】
【図１】従来のレコーダー図
【図２】録画時に「レーベル印刷する／しない」のボタンの設置とインク挿入場所を記      入したレコーダー図
【図３】レコーダーのサムネイル画像表示の例
【図４】レコーダーの内容確認表示の例
【図５】サムネイル画像表示が印刷された記録媒体
【図６】フローチャートによる印刷する手順
【符号の説明】
【００１６】
１：記録媒体の取り出入れ口
２：時間や録画時間を表す液晶パネル
３：「電源」「再生」「停止」などのボタン群（隠してある場合もある）
リモコンのセンサー認識部分 
４：記録媒体の取り出入れ口
５：時間や録画時間を表す液晶パネル
６：「電源」「再生」「停止」などのボタン群（隠してある場合もある）
リモコンのセンサー認識部分
７：記録媒体へ録画時に「レーベル印刷する／しない」のボタンの設置
８：インク挿入口
９：サムネイル画像表示のNO.（ナンバー）・タイトル名・CH（チャンネル）
10：サムネイル画像表示のサムネイル画像
11：サムネイル画像表示の録画月日・時刻
12：内容確認表示の タイトル名                               
13：内容確認表示の NO．（ナンバー）
14：内容確認表示の 録画月日・時刻                                    
15：内容確認表示の CH（チャンネル）                                       
16：内容確認表示の 地上波アナログ・デジタル等放送方法の表示
17：内容確認表示の 開始時間                       
18：内容確認表示の 録画時間                                             
19：内容確認表示の 録画モード                                           
20：内容確認表示の 記録媒体の残量容量    
21〜32：サムネイル画像表示が表示された記録媒体（21〜32は印刷される位置を表す）
【図１】
2009224010.tif 000003
【図２】
2009224010.tif 000004
【図３】
2009224010.tif 000005
【図４】
2009224010.tif 000006
【図５】
2009224010.tif 000007
【図６】
2009224010.tif 000008